(57)【要約】【課題】ドリンクホルダを改良して、選択的にその両方の挿入開口のいずれか一方だけを又は両方の挿入開口を共に使用できるようにする。【解決手段】ドリンクホルダであって、飲み物容器のために２つの挿入開口７を有する引出し部３が設けられており、該引出し部が、押し込まれた基本位置と引き出された使用位置との間において往復移動可能に案内されており、引き出された使用位置において両方の挿入開口７が飲み物容器を挿入するために接近可能である形式のものにおいて、引出し部３が旋回可能に構成されていて、２つの挿入開口７のうちの１つに選択的に接近できるようになっている。【選択図】図２
2008081105.tif 000002
【特許請求の範囲】
【請求項１】
ドリンクホルダであって、飲み物容器のために２つの挿入開口（７）を有する引出し部（３）が設けられており、該引出し部（３）が、押し込まれた基本位置と引き出された使用位置との間において往復移動可能に案内されており、引き出された使用位置において両方の挿入開口（７）が飲み物容器を挿入するために接近可能である形式のものにおいて、引出し部（３）が旋回可能に構成されていて、２つの挿入開口（７）のうちの１つに選択的に接近できるようになっていることを特徴とするドリンクホルダ。
【請求項２】
引出し部（３）の側面（８）が凸面状に丸く形成されている、請求項１記載のドリンクホルダ。
【請求項３】
側面（８）の曲率半径がほぼ引出し部（３）の幅に相当している、請求項２記載のドリンクホルダ。
【請求項４】
引出し部（３）がその前面（６）において最も広幅である、請求項２記載のドリンクホルダ。
【請求項５】
引出し部（３）が挿入開口（７）のための側部支持（９）を有していて、該側部支持（９）が、引出し部（３）の引出し時に上方に向かって移動可能であり、かつ挿入開口（７）に挿入された飲み物容器の側部を支持する、請求項１記載のドリンクホルダ。
【請求項６】
引出し部（３）が底部支持（１２）を有していて、該底部支持（１２）が引出し部（３）の引出し時に上方に向かって移動可能であり、かつ底部支持（１２）の上に飲み物容器が挿入開口（７）を通して載置可能である、請求項１記載のドリンクホルダ。
【発明の詳細な説明】
【技術分野】
【０００１】
本発明は、ドリンクホルダであって、飲み物容器のために２つの挿入開口を有する引出し部が設けられており、該引出し部が、押し込まれた基本位置と引き出された使用位置との間において往復移動可能に案内されており、引き出された使用位置において両方の挿入開口が飲み物容器を挿入するために接近可能である形式のものに関する。
【背景技術】
【０００２】
カップホルダとも呼ばれるこのようなドリンクホルダは、自体公知である。このようなドリンクホルダは例えば自動車のインストルメントパネル又はセンタコンソールに取り付けられるようになっている。ドリンクホルダは、飲み物容器を挿入するための１つ又は２つの挿入開口を備えた引出し部を有している。飲み物容器というは、ドリンク缶、グラス、カップ、ボトル又はこれに類したものを意味する。引出し部は引出し状に摺動可能に案内されていて、押し込まれた基本位置と引き出された使用位置との間において移動可能である。押し込まれた基本位置において、引出し部は、例えば自動車のインストルメントパネル又はセンタコンソール内に隠れており、挿入開口には接近することができず、引出し部は使用不能である。引き出された使用位置において引出し部は、自動車の車室内に突出していて、挿入開口は飲み物容器を挿入するために接近可能である。
【発明の開示】
【発明が解決しようとする課題】
【０００３】
本発明の課題は、冒頭に述べた形式のドリンクホルダを改良して、その両方の挿入開口を選択的にいずれか一方だけに又は両方ともに接近できるようにする、つまりいずれか一方の挿入開口だけを又は両方の挿入開口を共に使用できるようにすることである。
【課題を解決するための手段】
【０００４】
この課題を解決するために本発明の構成では、冒頭に述べた形式のドリンクホルダにおいて、引出し部が旋回可能に構成されていて、２つの挿入開口のうちの１つに選択的に接近できるようになっている。
【発明の効果】
【０００５】
本発明によるドリンクホルダの引出し部は単に摺動可能なだけではなく、鉛直な軸線を中心にして旋回可能である。そして旋回動作によって引出しは、引出し部の一方の側が自動車の車室内に突出して、この一方の側における挿入開口が接近可能状態になるように、運動することができる。この際に引出し部の他方の側は、例えばインストルメントパネル又はセンタコンソールから外には出ていない。逆方向における旋回動作によって、引出し部の他方の側が車室内に突出する。そして引出し部の他方の側における挿入開口が飲み物容器を挿入するために接近可能になる。本発明によるドリンクホルダの引出し部が旋回させられずに平行に摺動させられた場合には、両方の挿入開口が接近可能になる。
【０００６】
ドリンクホルダの引出し部とこの引出し部を引き出すことができる開口との間における間隙幅を小さく保つために、引出し部の側面は、本発明の有利な構成では、凸面状に丸く形成されている。この場合、引出し部の側面の曲率半径がほぼ引出し部の幅に相当していると有利である。このように構成されていると、引出し部の旋回動作時に間隙幅が変化することはない。また、引出し部がその前面において最も広幅であると、引出し部は押し込まれた基本位置において、両側に狭い間隙をもって開口を閉鎖することができる。
【０００７】
挿入された飲み物容器の傾倒を良好に防止するために、本発明の別の構成では、引出し部が挿入開口のための側部支持を有していて、該側部支持が、引出し部の引出し時に上方に向かって移動し、かつ挿入開口に挿入された飲み物容器の側部を支持するようになっている。この側部支持は例えばリングを有しており、このリングは、アームにおいて上方旋回可能に引出し部に支承されていて、ばね操作により上方旋回するようになっている。各挿入開口のためにそれぞれ側部支持が設けられていると有利である。
【０００８】
本発明のさらに別の構成では、引出し部が底部支持を有していて、該底部支持が引出し部の引出し時に下方に向かって移動可能であり、かつ底部支持の上に飲み物容器が挿入開口を通して載置可能である。この底部支持によって挿入開口の挿入深さを大きくすることができるので、挿入開口に挿入された飲み物容器の傾倒を良好に防止することができる。
【発明を実施するための最良の形態】
【０００９】
次に図面を参照しながら本発明によるドリンクホルダの実施例を説明する。
【００１０】
図面に示された本発明によるドリンクホルダは、図示されていない自動車のインストルメントパネル又はセンタコンソールに取り付けられるようになっている。インストルメントパネル又はセンタコンソールは図面にカバーパネル２として示されており、このカバーパネル２の開口には、ホルダ１の引出し部３が配置されている。この引出し部３は、図示の実施例では長さもしくは奥行きよりも大きな幅を有するプレートの形をしている。この場合長さもしくは奥行きというのは、引出し部３の移動方向、つまりカバーパネル２に対して垂直な方向における寸法のことである。
【００１１】
引出し部３はその上側にピン４を有しており、このピン４は、破線で示された位置固定の三角形の切欠き５に係合している。この三角形の切欠き５はカバーパネル２に対して垂直にかつ、底辺側がカバーパネル２に対して平行に配置されている。引出し部３は下側に同軸的に配置されたピンを有しており、このピンは合同のもしくは合致した切欠きに係合している。下側における切欠き及びピンは、引出し部３によって覆われており、ゆえに図示されていない。ピン４によって引出し部３は切欠き５内において移動可能に案内され、かつ旋回可能に支承されている。引出し部３は図１に示された基本位置から、図４に示された引き出された使用位置に移動可能である。基本位置において引出し部３の前面６は、カバーパネル２と同一平面を成しており、引出し部３は収納されている。図４に示された使用位置において引出し部３はカバーパネル２から、図示されていない自動車の車室内に突出している。
【００１２】
前面の近くにおいて引出し部３は両側に、各１つの挿入開口７を有しており、両方の開口７はそれぞれ、例えばドリンク缶、グラス、カップ、ボトル又はこれに類したもののような飲み物容器を１つずつ挿入するために働く。押し込まれた基本位置において、これらの挿入開口７はカバーパネル２の後ろに位置していて、接近することができない。引き出された使用位置において挿入開口７はカバーパネル２の前に位置していて、飲み物容器を挿入するために接近可能である。
【００１３】
上側及び下側における切欠き５にピン４が旋回支承されていることによって、引出し部３はピン４を通る仮想の垂直な軸線を中心にして、両方向で図２及び図３に示された位置に旋回可能である。旋回させられた位置において引出し部３はそれぞれ片側において、カバーパネル２から突出しており、この場合挿入開口７のうちの一方がカバーパネル２の前において接近可能、つまり使用可能である。他方の挿入開口７はカバーパネル２の後ろに隠れたままであり、図２及び図３に示された引出し部３の旋回位置においては使用不能である。
【００１４】
引出し部３の側面８は円弧状に凸面状に丸く形成されていて、側面８の曲率半径が引出し部３の幅に相当している。引出し部３の最も広幅の箇所は引出し部３の前面６であり、この前面６は、基本位置に押し込まれた引出し部３においてカバーパネル２の開口を狭い間隙をもって閉鎖する。側面８の湾曲によって、カバーパネル２の開口と引出し部３との間における間隙は、図２及び図３に示された位置への旋回時にも狭いままである。
【００１５】
引出し部３は上側に挿入開口７のためにリング状の側部支持９を有しており、この側部支持９は挿入開口７を取り囲んでいる。側部支持９は、半径方向に突出したアーム１０を有しており、このアーム１０の端部からは、図示されていないピンが側方に外側に向かって突出しており、これらのピンは、引出し部３の同様に図示されていない長孔に係合している。側部支持９はこれによって、仮想の水平な旋回軸線１１を中心にして上方に向かって旋回可能である。同様に図示されていないばねエレメントが、側部支持９を引出し部３の引出し時に、図２〜図４に示されているように上方に向かって旋回させる。これによって挿入された飲み物容器は大きな高さにおいて側部を支持され、そして引出し部３の挿入開口７内に傾倒を防止されて保持される。引出し部３の押込み時には、カバーパネル２の開口の上縁部が側部支持９を下方に向かって、引出し部３の上側面と同一平面を成す位置へと押し下げる。
【００１６】
側部支持９と同様に、引出し部３はその下側に底部支持１２を有しており、この底部支持１２は引出し部３の下側面における挿入開口７の下側を覆っていて、下方に向かって旋回可能に引出し部３に支承されている。底部支持１２は引出し部３の引出し時に重力によって下方に向かって旋回し、引出し部３の押込み時には、カバーパネル２内における基本位置へと、引出し部３の開口の下縁部によって上方に向かって引出し部３の下側面に旋回させられる。挿入開口７に挿入された飲み物容器は、引出し部３の引出し時に下方に向かって旋回する底部支持１２の上に起立する。底部支持１２は挿入開口７の挿入深さを増大させ、これによって同様に、挿入された飲み物容器の側部保持、ひいては飲み物容器の傾倒防止を改善する。
【図面の簡単な説明】
【００１７】
【図１】本発明によるドリンクホルダの引出し部が基本位置を占めている場合を示す斜視図である。
【図２】本発明によるドリンクホルダの引出し部が旋回させられて一方の挿入開口の使用位置を占めている場合を示す斜視図である。
【図３】本発明によるドリンクホルダの引出し部が旋回させられて他方の挿入開口の使用位置を占めている場合を示す斜視図である。
【図４】本発明によるドリンクホルダの引出し部が平行に引き出されて両方の挿入開口の使用位置を占めている場合を示す斜視図である。
【符号の説明】
【００１８】
１  ホルダ、  ２  カバーパネル、  ３  引出し部、  ４  ピン、  ５  切欠き、  ６  前面、  ７  挿入開口、  ８  側面、  ９  側部支持、  １０  アーム、  １１  旋回軸線、  １２  底部支持
【図１】
2008081105.tif 000003
【図２】
2008081105.tif 000004
【図３】
2008081105.tif 000005
【図４】
2008081105.tif 000006